(57)【要約】      （修正有）【課題】容易に栽培床を設けることができ、その材料を何回も使用することができるトマトの温室栽培用装置を提供する。【解決手段】トマトの温室栽培において、栽培装置１の下側には、発泡スチロールの枠２で、中央に温水管３が設けられ、他端に排水溝４が設けられてなり、その枠２内に長方形のロックウールマット５を設置し、その上にアルミ又はプラスチック製のＬ字形の長い枠６を左右に設置し、両端にＬ字形の短い枠７を設置し細長い栽培床を設け、その枠体６、７が外側内側に倒れないよう固定するステンレス製の金属棒９を等間隔に差し込み、トマト栽培床を設け、そのトマト栽培床の中に細粒綿１０を置き、その左側に給液ホース１１を設置したトマトの温室栽培用装置１である。【選択図】図１
0003148279.tif 000002
【実用新案登録請求の範囲】
【請求項１】
トマトの温室栽培において、台地１５に発泡スチロールの枠２を設置し、その枠２には、中央に温水管３が配置され、他端縦には長く、横は随所に排水溝４が設けられてなり、その枠２内に長方形の長いロックウールマット５を設け、その上にアルミ又はプラスチック製のＬ字形の長い枠６を左右に設け、両端にＬ字形の短い枠７を設置して、細長い栽培床８を作り、その枠体６，７が、外側・内側に倒れないよう固定させるステンレス製の金属棒９を等間隔に差し込んで栽培床８を設け、その栽培床８の中に細粒綿１０を置き、その左側に給液ホース１１で、ロックウールマット５に水と養分等の補給することを特徴とするトマトの温室栽培用装置１。
【請求項２】
両端にＬ字形の短い枠７が、外側、内側に倒れないよう固定させるステンレス製の金属棒９を両端の外側から左右の外枠の内側に上側は、逆ハの字体状に、下側は、ハの字体状に金属棒９を差し込んで栽培床８を設けなることを特徴とする請求項１に記載のトマトの温室栽培用装置１。
【考案の詳細な説明】
【技術分野】
【０００１】  本考案は、トマト栽培床の左右両枠は、長尺で前後の横枠が短尺であり、その断面がＬ字型の栽培枠で、左右両枠と前後の横枠は、ステンレス棒状の金具を用いてトマト栽培床を形成することに関するものである。
【背景技術】
【０００２】  本考案に関連する背景の技術としては、トマトの栽培方法とその装置、温室栽培用容器及びその付属品、温室栽培用及びその付属品等に関するものがある。【０００３】  一株が２５０ｍｌ前後となる数個のＤ型溝を有した栽培用トレイにより、従来の半分以下の培地によるトマトの養液栽培ができ、設備費用の大幅なコストダウンと、日々の給液費用の削減を図ることができる、トマトの養液栽培方法とその装置を提供されていた。【０００４】  Ｄ字形栽培用トレイを使用する栽培方法として、例として、そのＤ字形溝の上端部の大きさは直径７５ｍｍ前後の半円状で、底部は直径が４０ｍｍ前後の半円状を成し、深さは８０ｍｍ前後のトレイを用い、各溝に、２５０ｍｌ前後の培地を入れる。前記トレイの前記２列の溝の境界上には、散水チューブがトレイの長手方向に配置される。散水チューブの給液口が、２列に配列されたＤ字形の溝の中心部に位置され、養液が２列のＤ字形の開口から各培地に下流する。
この公開特許文献としては上記説明の特開２００７−３０６８４９公開特許公報「トマトの栽培方法とその装置である。【０００５】  ガラス繊維を含む熱可塑性樹脂の射出成形品である栽培床本体の底壁にアルミニウム製の蒸気パイプをパイプ取付具により取り付ける。パイプ取付具は蒸気パイプと栽培床本体との長手方向のずれを許容するため、蒸気殺菌時の熱膨張量の差による栽培床本体やパイプ取付具の損傷等が防止される。【０００６】  また、蒸気パイプは一対のフィンを備え、栽培床本体に対する相対回転や横方向移動が阻止されるため、側壁の上端の耕運機用レールに小型耕運機を取り付けて栽培床本体内の土を耕す際に、蒸気パイプの位置がずれたり、耕運機と干渉したりすることがなく、蒸気殺菌、耕運を容易に行うことができる。また、栽培床本体をアルミニウム製とする場合に比較して、コストを低く抑えることができる。
この公開実用文献としては、上記説明の実開平６−５０４３６号の公開実用新案公報「植物栽培床およびその部品」である。【０００７】  横断面形状がほぼＵ字形の本体の上縁外側に逆Ｌ字形断面の補強板を備えたプラスチック栽培用容器であって、補強板の逆Ｌの上面及び側面にトラフを横に並べたときの結合ボトル孔又は別の付属具を取り付ける多数の貫通孔を備え、本体の一端には長手方向に隣接トラフを連結する連結板を備えた。
この実用文献としては、上記説明の実用新案登録第３０７０５２０号の登録実用新案公報「温室栽培用容器及びその付属具」である。【０００８】  しかし、以上のように、本考案に関する、栽培枠の左右両枠は長尺で、前後の横枠は短尺である。そのいずれの枠も断面がＬ字型の栽培枠で、左右両枠と前後の横枠の転倒を防止するため、ステンレス棒状の金具を用いて栽培床を形成することに関するものはない。
【考案の開示】
【考案が解決しようとする課題】
【０００９】  解決しようとする問題点は、栽培床を設けることに時間とその材料に苦慮していたが、台地に発泡スチロールの枠を設置し、その枠には中央に温水管が配置され、その他端縦長く、横は随所に排水溝が設けられてなり、その枠内に長方形のロックウールマットを設け、その上にアルミ又はプラスチック製のＬ字形の長い枠を左右に設け、両端にＬ字形の短い枠を設置して、細長い床を作り、その枠体が、外側・内側に倒れないよう固定させるステンレス製の金属棒を等間隔に差し込み、容易に栽培床を設けるこことその材料が何回も使用できる点である。
【課題を解決するための手段】
【００１０】  トマトの温室栽培において、台地に発泡スチロールの枠を設置し、その枠には、中央に温水管が配置され、他端縦には長く、横は随所に排水溝が設けられてなり、その枠内に長方形の長いロックウールマットを設置し、その上にアルミ又はプラスチック製のＬ字形の長い枠を左右に設け、両端にＬ字形の短い枠を設置して、細長い栽培床を作り、その枠体が、外側・内側に倒れないよう固定させるステンレス製の金属棒を等間隔に差し込んで栽培床を設け、その栽培床の中に細粒綿を置き、その左側に給液ホースでロックウールマットに水と栄養分等を補給する装置を設置してなるものである。【００１１】  そして、両端にＬ字形の短い枠が、外側、内側に倒れないよう固定させるステンレス製の金属棒を両端の外側から左右の外枠の内側に上側は、逆ハの字体状に、下側は、ハの字体状に差し込んで栽培床を設けてなるトマトの温室栽培用装置である。
【考案の効果】
【００１２】  本考案の温室栽培用の長い枠、短い枠は、共にアルミ又はプラスチック製のＬ字型のもので、その転倒防止用金属棒はステンレス製であり、枠の中に置かれている細粒綿は湿気があっても、枠及び金属棒は腐食することなく、耐久性に富み一回に限らず、何回も使用できるものである。【００１３】  本考案の温室栽培用の装置は、湿度と温度が一定であり、ロックウールマットの上に給液ホースが引かれ、水と栄養分は一定時に散布されるので、細粒綿に植え付けられたトマトの苗は、根が細粒綿からロックウールマットスに至るまで伸びていき、その実がよくなるものである。
【考案を実施するための最良の形態】
【００１４】  本考案の温室栽培用の装置には、ロックウールマットの下に温水管が引かれ、トマトの根は、細粒綿からロックウールマットに至るまで伸びてくるので、根元から暖められ、栽培床はフイルムシートにより左右から覆うたり、捲ったりすることが，自在でるため、トマトは温室で２８度が保たれ、トマトの高収穫に貢献できるものである。
【実施例】
【００１５】  図１は、栽培用装置の一部を切断した斜視図であって、トマトの温室栽培において、台地１５に発泡スチロールの枠２を設置し、その枠２には、中央に温水管３が設けられ、他端に排水溝４が設けられてなり、その枠２内に長方形の長いロックウールマット５を設け、その上にアルミ又はプラスチック製のＬ字形の長い枠６を左右に設置し、両端にＬ字形の短い枠７を設置して、細長い栽培床８を作り、その枠体６、７が、外側内側に倒れないよう固定させるステンレス製の金属棒９を等間隔に差し込み、その栽培床８中に細粒綿１０を置き、その左側に給液ホース１１で、ロックウールマット５に水と栄養分等を補給するトマトの温室栽培用栽培装置１である。【００１６】  そして、両端にＬ字形の短い枠７が、外側、内側に倒れないよう固定させるステンレス製の金属棒９を両端の外側から左右の外枠の内側に上側は、逆ハの字体状に、下側は、ハの字体状に金属棒９を差し込んで容易に栽培床８を設けなるトマトの温室栽培用装置１である。【００１７】  図２は、発泡スチロールに設置された栽培用床の一部を切断した斜視図であって、その給液ホース１１からは、定時的にロックウールマット５上に給水され、栽培床８中に細粒綿１０には、毛細管の原理により湿気を十分含むものであり、トマトの栽培に適応している。【００１８】  図３は、図１の側面でその一部を切り替えた中央断面図である。給液ホース１１からは、定時的にロックウールマット５上に給水され、栽培床８中に細粒綿１０には、毛細管の原理により湿気を十分含むものであり、トマトの栽培によりトマトに水分と栄養部を吸収された余分な水分は排水溝４を通って貯蔵槽１２に行き排水管１３から排泄される。【００１９】  図４は、トマトの栽培において、トマトの苗を栽培床８中の細粒綿１０に植え付けて、給液ホース１１から定時的にロックウールマット５上に給水され、毛細管の原理により湿気を十分含むものであり、トマトの栽培によりトマトに水分と栄養部を吸収された余分な水分は排水溝４を通って貯蔵槽１２に行き排水管１３から排泄される。【００２０】  トマトの根は、栽培床８の細粒綿１０に張り、その根はロックウールマットにも十分に張るものである。ロックウールマットの下段中央部には温水管が配置され、根元の温度の管理を勤めている。
また、温室内の温度が全体的に下がったときには、左右のフイルムシート１４で栽培床８を覆って、根元の温度管理に当っている。温室内の室温は２８度がトマト栽培に最適である。
図４中仮想線は、貯蔵槽１２等を示している。【００２１】  図５は、栽培用床の一部を切断した金属棒を使用した要部の斜視図であり、図６は、金属製棒の正面図であって、図１に示すように温室栽培用の長い枠、短い枠は、共にアルミ又はプラスチック製のＬ字型のもので、その転倒防止用に使用する金属棒はステンレス製であって、腐食に強く長持ちするものである。【００２２】  図７は、図４のＡ−Ａ線断面図であり、その装置の配置が分かるようにしたものであって、土台に発泡スチロールの枠２を設置し、その枠２の中にロックウールマット５を設けてその上に長い枠（アルミ又はプラスチック製のＬ字型）６と短い枠（アルミ又はプラスチック製のＬ字型）７とを置き、金属棒９を差してＬ字型の転倒を防止し、その中に細粒綿１０を入れて細長い栽培床８を設ける。【００２３】  図８は、発泡スチロールの枠２の上方斜視図で、右側に縦に長い排水溝４と横には随所に排水溝４が設けられ、給液ホース１１からロックウールマット５上に定時に噴射された水等の養分がロックウールマット５及び細粒綿１０に吸収されると共に、植え付けられたトマトが吸収して育ち、その余分な水分が排水溝４を通って貯蔵槽１２に行き排泄管１３から排泄される。
【産業上の利用可能性】
【００２４】  本願の考案は、トマトの育成に限らず、メロン、胡瓜、茄子、等のその他の植物の生育に応用されるものである。
温度調節は、温室で管理されるももの、発泡スチロールの枠中央の溝に配置された温水管３と左右に置かれたフイルムシート１４で栽培用床を覆ったり捲ったりして、根元の温度調節を行いトマトの育成に当る。
【図面の簡単な説明】
【００２５】
【図１】栽培用装置の一部を切断した斜視図である。
【図２】発泡スチロールに設置された栽培用床の一部を切断した斜視図である。
【図３】図１の側面でその一部を切り替えた中央断面図である。
【図４】図１の前後の一部を切断した斜視図であって、トマトの植え付けている状況で、左右のフイルムシートを覆っている状態を示している。
【図５】栽培用床の一部を切断した金属棒を使用した要部の斜視図である。
【図６】金属製棒の正面図である。
【図７】図４のＡ−Ａ線断面図である。
【図８】発泡スチロールの枠の上方斜視図である。
【符号の説明】
【００２６】１  栽培用装置
２  発泡スチロールの枠
３  温水管
４  排水溝
５  ロックウールマット
６  長い枠（アルミ又はプラスチック製のＬ字型）
７  短い枠（アルミ又はプラスチック製のＬ字型）
８  栽培床
９  金属棒（ステンレス製の）
１０  細粒綿
１１  給液ホース
１５  台地
【図１】
0003148279.tif 000003
【図２】
0003148279.tif 000004
【図３】
0003148279.tif 000005
【図４】
0003148279.tif 000006
【図５】
0003148279.tif 000007
【図６】
0003148279.tif 000008
【図７】
0003148279.tif 000009
【図８】
0003148279.tif 000010